(57)【要約】【課題】  コンピュータから送信されるメールを受信拒否する設定にしている携帯電話機であっても、利用者が該携帯電話機へのメール配信を希望する送信者に対しては、簡単にメール配信を許容することができる携帯電話機用メール配信システムを提供し、利用者の満足度を向上させる。【解決手段】  メール配信を行う配信装置に、メールの配信対象である利用者が所有する利用者側携帯電話機のメールアドレスへ携帯電話機の通信網を介してメール配信する配信側通信手段を備え、前記配信装置に前記メールアドレスを複数取得する配信先アドレス取得手段と、取得した各配信先アドレスへのメール配信を前記配信側通信手段に実行させる配信側制御手段とを備えた。【選択図】    図１
2006155475.tif 000002
【特許請求の範囲】
【請求項１】
メール配信を行う配信装置に、メールの配信対象である利用者が所有する利用者側携帯電話機のメールアドレスへ携帯電話機の通信網を介してメール配信する配信側通信手段を備え、
前記配信装置に
前記メールアドレスを複数取得する配信先アドレス取得手段と、
取得した各配信先アドレスへのメール配信を前記配信側通信手段に実行させる配信側制御手段とを備えた
携帯電話機用メール配信システム。
【請求項２】
前記配信装置に、
電気通信回線に接続可能な通信手段と、
メール配信を依頼する依頼者の依頼者コンピュータから前記通信手段により前記電気通信回線を介してメール配信依頼を受け付けるメール配信依頼受付手段とを備えた
請求項１記載の携帯電話機用メール配信システム。
【請求項３】
前記配信先アドレス取得手段を、
メール配信を依頼する依頼者が管理するデータベースにアクセスして該データベースから配信先アドレスを取得する構成とした
請求項１又は２記載の携帯電話機用メール配信システム。
【請求項４】
前記配信装置に、
利用者側携帯電話機からメールの配信希望を受け付ける利用者用受付手段を備えた
請求項１、２又は３記載の携帯電話機用メール配信システム。
【請求項５】
前記配信側通信手段を複数備え、
前記配信側制御手段を、複数の配信側通信手段のうちいずれかの配信側通信手段を使用してメール配信するか前記配信先アドレスに基づいて決定する構成とした
請求項１から４のいずれか１つに記載の携帯電話機用メール配信システム。
【発明の詳細な説明】
【技術分野】
【０００１】
この発明は、例えば利用者が所有する携帯電話へ向けてメールを配信するような携帯電話機用メール配信システムに関する。
【背景技術】
【０００２】
従来、携帯電話機では、パケット通信網を介したメールの送受信や、インターネットホームページの閲覧といったサービスが提供されている。  
このような携帯電話機に対して、多くの企業が、メールマガジン等による広告メールの送信を、利用者の希望に応じて行っている。
【０００３】
このような広告メールの送信は、多数のメールアドレスへメール配信するために、コンピュータにて各メールアドレスへ順次送信する一括配信にて行われている。
【０００４】
ここで、業者によっては、広告メールを希望する者の携帯電話機にだけでなく、未承諾で利用者の携帯電話機へ広告メールを送信することがある。  
このような未承諾の広告メールは、一般にコンピュータから携帯電話へ送信されるため、利用者は未承諾の広告メールの受信を拒否する目的で、コンピュータからのメールを迷惑メールとして受信拒否する設定を行っていることが多い。
【０００５】
そうすると、利用者は配信希望する広告メールまで受信できなくなり、この広告メールを受信するためには、特定の送信者からの送信を許可する必要があった（特許文献１参照）。
【０００６】
一方、携帯電話機のボタンでは文字入力が不便であるため、コンピュータで入力した文字を携帯電話機にてメール送信する方法が提案されている（特許文献２参照）。
【０００７】
しかし、この方法はメール本文等のテキストデータをコンピュータで入力しておき、このテキストデータを携帯電話機で送信するものであり、メールの一括配信に利用するものではなかった。
【特許文献１】特開２００２−２８１０９１号公報
【特許文献２】特開２００３−１０１６６１号公報
【発明の開示】
【発明が解決しようとする課題】
【０００８】
この発明は、上述の問題に鑑み、コンピュータから送信されるメールを受信拒否する設定にしている携帯電話機であっても、利用者が該携帯電話機へのメール配信を希望する送信者に対しては、簡単にメール配信を許容することができる携帯電話機用メール配信システムを提供し、利用者の満足度を向上させることを目的とする。
【課題を解決するための手段】
【０００９】
この発明は、メール配信を行う配信装置に、メールの配信対象である利用者が所有する利用者側携帯電話機のメールアドレスへ携帯電話機の通信網を介してメール配信する配信側通信手段を備え、前記配信装置に前記メールアドレスを複数取得する配信先アドレス取得手段と、取得した各配信先アドレスへのメール配信を前記配信側通信手段に実行させる配信側制御手段とを備えた携帯電話機用メール配信システムであることを特徴とする。
【００１０】
前記配信装置は、ＷＥＢサーバやメール配信サーバ等のサーバ、又はパーソナルコンピュータ等、メール配信を行う配信コンピュータで構成する、あるいは、配信側で使用する配信用携帯電話機で構成することができる。  
前記携帯電話機の通信網は、パケット通信網など、携帯電話機がデータ通信に使用する通信網で構成することができる。
【００１１】
前記配信先アドレス取得手段は、他のコンピュータにアクセスして配信先アドレスを取得する制御手段と通信手段、又は、配信サーバ内の記憶手段にアクセスして配信先アドレスを取得する制御手段と記憶手段等、配信先アドレスを取得する手段で構成することができる。
【００１２】
前記配信側通信手段は、前記配信装置を配信コンピュータとした場合は、携帯電話機、又は携帯電話機と同じ通信網を利用してデータ通信ができるデータ通信カードで構成することができる。
【００１３】
また前記配信側通信手段は、前記配信装置を配信用携帯電話機とした場合は、配信用携帯電話機に備えているアンテナ等、通信処理を実行する通信部で構成することができる。
【００１４】
前記構成により、メール配信を希望する利用者が所有する利用者側携帯電話機に、携帯電話機の通信網を介してメールを配信することができる。  
従って、利用者はコンピュータから送信されるメールの受信拒否を行った状態のままで、配信を希望するメールを受信することができる。
【００１５】
この発明の態様として、前記配信装置に、電気通信回線に接続可能な通信手段と、メール配信を依頼する依頼者の依頼者コンピュータから前記通信手段により前記電気通信回線を介してメール配信依頼を受け付けるメール配信依頼受付手段とを備えることができる。  
これにより、依頼者コンピュータからのメール配信依頼を受けて、メール配信を希望する利用者に携帯電話機の通信網を介したメール配信を行うことができる。
【００１６】
またこの発明の態様として、前記配信先アドレス取得手段を、メール配信を依頼する依頼者が管理するデータベースにアクセスして該データベースから配信先アドレスを取得する構成とすることができる。
【００１７】
これにより、メール配信を希望する利用者のメールアドレスをメール配信の依頼者が管理することができる。従って、依頼者である企業等でメール配信を行う対象としている利用者の情報を更新しても、この更新に即座に対応して更新後のメールアドレスへメール配信することができ、アドレス変更時等の手間を削減することができる。
【００１８】
またこの発明の態様として、前記配信装置に、利用者側携帯電話機からメールの配信希望を受け付ける利用者用受付手段を備えることができる。  
これにより、配信装置でメールの配信希望を受け付けた利用者にのみメール配信を行うことができ、メール配信を希望していない者にメール配信してしまうことを確実に防止できる。
【００１９】
またこの発明の態様として、前記配信側通信手段を複数備え、前記配信側制御手段を、複数の配信側通信手段のうちいずれかの配信側通信手段を使用してメール配信するか前記配信先アドレスに基づいて決定する構成とすることができる。  
これにより、配信先アドレスに基づいてメール配信に使用する配信側通信手段を適切に割り振ることができ、メール配信の効率を高めることができる。
【発明の効果】
【００２０】
この発明により、コンピュータから送信されるメールを受信拒否する設定にしている携帯電話機であっても、利用者が該携帯電話機へのメール配信を希望する送信者に対しては、簡単にメール配信を許容することができる携帯電話機用メール配信システムを提供でき、利用者の満足度を向上させることができる。
【発明を実施するための最良の形態】
【００２１】
この発明の一実施形態を以下図面と共に説明する。  
まず、図１に示すシステム構成図と共に、携帯電話用メール配信システム１のシステム構成について説明する。
【００２２】
携帯電話用メール配信システム１は、インターネット５１に通信可能に接続した企業サーバ１０及び配信サーバ３０と、パケット通信網５２に基地局５３を介して無線通信可能な配信側通信機４０及び利用者側携帯電話機６０とで構成している。
【００２３】
ここで、企業サーバ１０及び利用者側携帯電話機６０は複数存在しており、正確には携帯電話用メール配信システム１を利用する企業数及び利用者数存在している。
【００２４】
また、配信側通信機４０も複数存在しており、複数が配信サーバ３０に接続されている。この配信側通信機４０は、利用者側携帯電話機６０の各キャリアの種類に応じて各種の配信側通信機４０を配信サーバ３０に接続している。
【００２５】
インターネット５１とパケット通信網５２は接続されており、利用者側携帯電話機６０からインターネット５１に接続されているＷＥＢサーバのホームページ閲覧やメールサーバへのメール送信が行えるように構成している。
【００２６】
企業サーバ１０は、ＷＥＢサーバ機能とデータベースサーバ機能とを備えており、記憶装置（例えばハードディスク）に記憶した利用者管理データベース（ＤＢ）１１により利用者の個人情報を管理している。
【００２７】
この個人情報には、利用者の氏名、住所、携帯電話機の電話番号、携帯電話機のメールアドレス等が含まれている。  
また、企業サーバ１０はブラウザ機能も備えており、配信サーバ３０のＷＥＢサーバ機能で提供されるホームページにアクセスしてメール配信を依頼することができる。
【００２８】
配信サーバ３０は、ＷＥＢサーバ機能を備えており、記憶装置（例えばハードディスク）に記憶した企業管理データベース３１により、メール配信を依頼する企業の情報を管理している。
【００２９】
またＷＥＢサーバ機能により、企業サーバ１０からのメール配信依頼を受け付ける処理と、利用者側携帯電話機６０からメール配信希望を受け付ける処理とを実行する。
【００３０】
また配信サーバ３０は、配信業者へ会員登録した利用者の情報を利用者管理データベース３２で管理しているが、この利用者情報はメールマガジンを配信する利用者の管理とは別のものであり、配信業者が独自に利用する。
【００３１】
なお、企業サーバ１０及び配信サーバ３０はコンピュータであり、ＣＰＵとＲＯＭとＲＡＭで構成される制御装置、ハードディスク等の記憶装置、ＣＤ−ＲＯＭドライブやＦＤドライブ等の記憶媒体（ＣＤ−ＲＯＭやＦＤ等）を読取る記憶媒体読取装置又は記憶媒体読書き装置、マウスやキーボード等の入力装置、ＣＲＴや液晶画面等で構成する表示装置、及び、インターネット５１を介して通信を行うＬＡＮボード等の通信装置を備えている。
【００３２】
また、上記記憶装置には、メール配信実行プログラム（配信サーバ３０内）や、メール配信希望登録プログラム（配信サーバ３０内）や、メール配信依頼プログラム（企業サーバ１０内）等、必要な処理を実行するプログラムが格納されている。
【００３３】
配信側通信機４０は、配信サーバ３０に接続して複数備えており、携帯電話機のキャリア毎に複数ずつ備えている。この実施形態では、配信側通信機４０として携帯電話機を使用する。
【００３４】
利用者側携帯電話機６０は、利用者が所有する携帯電話機であり、基地局５３と無線で通信する。またブラウザ機能とメールの送受信機能とを備えており、ブラウザ機能によって、前記配信サーバ３０のＷＥＢサーバ機能で提供されるホームページにアクセスして、メール配信を希望する旨の登録が実行できる。
【００３５】
なお、配信側通信機４０及び利用者側携帯電話機６０は、ＣＰＵとＲＯＭとＲＡＭとで構成する制御装置、不揮発性メモリ等で構成する記憶装置、液晶画面等で構成する表示装置、押下ボタン等で構成する入力装置、マイク等の音声入力装置、スピーカ等の発音装置、及び、アンテナ等の通信装置（通信部）を備えている。
【００３６】
また、上記記憶装置には、ブラウザプログラム（利用者側携帯電話機６０内）やメールプログラム（利用者側携帯電話機６０内）等、必要な処理を実行するプログラムが格納されている。  
以上のシステム構成により、利用者は利用者側携帯電話機６０で配信サーバ３０にアクセスしてメール配信を希望する旨の登録ができる。
【００３７】
メールマガジンの配信や広告メールの配信等を行う企業は、企業サーバ１０によりインターネット５１を介して配信サーバ３０にメール配信を依頼することができる。
【００３８】
配信サーバ３０は、インターネット５１を介して企業サーバ１０からメール配信を希望する利用者のメールアドレスを取得でき、また、配信側通信機４０を制御して、利用者側携帯電話機６０のメールアドレスへパケット通信網５２を介してメール配信することができる。
【００３９】
次に、図２〜図５に示すデータ構成図と共に、配信サーバ３０の企業管理データベース３１に格納するデータについて説明する。  
図２は、管理者情報３３を示し、該管理者情報３３は次に説明する各項目（フィールド）を備えている。
【００４０】
ｏｒｇ＿ｉｄは、自動的に採番したオートナンバーを格納する。  
ｉｄは、企業の管理者がログインに使用する管理者ログインＩＤを格納する。  
ｐａｓｓは、企業の管理者がログインに使用する管理者ログインパスワードを格納する。  
ｔｂｎａｍｅは、使用するテーブル名を格納する。  
ｓｕｂｊｅｃｔは、配信するメールマガジンの件名（メルマガ件名）を格納する。  
ｍｓｇは、配信するメールマガジンの本文（メルマガ本文）を格納する。  
ｃｌｉｅｎｔは、企業名を格納する。  
ｓｔｏｒｅは、企業の店舗名を格納する。  
以上の構成により、企業の管理者の情報を管理する。
【００４１】
なお、この管理者情報３３は、企業から申し込み用紙を受け取って手入力する、あるいは、配信サーバ３０により申し込み用のホームページを提供して自動登録する等、適宜の方法で登録すると良い。
【００４２】
図３は、格納テーブル情報３４を示し、該格納テーブル情報３４は次に説明する各項目を備えている。  
ｎｕｍは、自動的に採番したオートナンバーを格納する。  
ｔｂｎａｍｅは、テーブル名を格納する。  
ｃｌｍｎａｍｅは、フィールド名を格納する。  
ｉｔｅｍは、オブジェクト種別を格納する。  
ｒｅｆは、更新の有無を示す更新フラグを格納する。  
以上の構成により、格納するテーブルの情報を管理する。
【００４３】
図４は、メール送信履歴３５を示し、該メール送信履歴３５は次に説明する各項目を備えている。  
ｎｕｍは、自動的に採番したオートナンバーを格納する。  
ｓｎｄ＿ｄａｔｅは、メールマガジンを送信した送信日を格納する。  
ｓｎｄ＿ｆｌｇは、メールマガジンを送信したか否かを示す送信フラグを格納する。  
ｓｕｂｊｅｃｔは、メールマガジンの件名を格納する。  
ｍｓｇは、メールマガジンの本文を格納する。  
ｓｎｄ＿ｃｎｔは、メールマガジンを送信した送信件数を格納する。  
ｔｂｎａｍｅは、使用するテーブル名を格納する。  
ｓｑｌは、使用したｓｑｌ文を格納する。  
ｓｑｌ＿ｊｐは、使用したｓｑｌを日本語で格納する。  
ｃｌｉｅｎｔは、メールマガジンの配信を行った企業名を格納する。  
ｒｅｓ＿ｃｎｔは、予約時の件数を格納する。  
ｓｔｏｒｅは、メールマガジンの配信を行った企業の店舗名を格納する。  
ｕｎｉｔ＿ｐｒｉｃｅは、配信したメールマガジンの単価（メルマガ単価）を格納する。  
以上の構成により、メールマガジンの送信履歴を管理する。
【００４４】
図５は、セッション情報３６を示し、該セッション情報３６は次に説明する各項目を備えている。  
ｏｒｉｇｎ＿ｉｄは、本ＩＤを格納する。  
ｓｅｓ＿ｉｄは、セッションＩＤを格納する。  
ｓｅｓ＿ｔｉｍｅは、セッションＩＤの生成時間を格納する。  
ｍａｉｌ＿ｓｑｌは、配信に使用した配信クエリを格納する。  
ｕｓｅｒ＿ｓｑｌは、検索に使用した検索クエリを格納する。  
以上の構成により、セッションの情報を管理する。
【００４５】
次に、利用者が会員登録を行う処理について説明する。ここで、会員登録には、メールマガジンの配信を希望する企業が管理する企業サーバ１０への会員登録と、メールマガジンの配信を請け負う配信業者が管理する配信サーバ３０への会員登録がある。
【００４６】
メールマガジンは、企業へ会員登録した利用者に配信するものとしており、配信サーバ３０に会員登録した利用者は、その登録情報を利用して企業サーバ１０に会員登録することもできる。
【００４７】
まず、図６、図７のフローチャートと共に、エンドユーザである利用者がメール配信を希望する旨の登録を企業サーバ１０にアクセスして行う配信希望登録処理について説明する。なお、この実施形態では、企業サーバ１０で会員登録した利用者にメールマガジンを配信する構成としているため、会員登録処理がそのまま配信希望登録処理となる。
【００４８】
利用者の操作によって利用者側携帯電話機６０が企業サーバ１０の提供するホームページのＵＲＬへアクセスすると（ステップｎ１）、企業サーバ１０はトップ画面データを利用者側携帯電話機６０のブラウザにあわせた形式のデータ（ＨＴＭＬやＨＤＭＬ等）で送信する（ステップｎ２）。
【００４９】
利用者側携帯電話機６０は、図８の画面イメージ図に示すように、受信したトップ画面データによるトップ画面をモニタ６１（図１）に表示する（ステップｎ３）。
【００５０】
このとき表示するトップ画面７０には、サイト名、ロゴ画像、文章を表示すると共に、複数のメニューボタン７１〜７５、リンク集ボタン７６、アンケートボタン７７、会員規約を読むボタン７８、及び会員登録ボタン７９を表示する。
【００５１】
メニューボタン７１〜７５は、各メニューを表示する画面に移行するボタンである。  
リンク集ボタン７６は、リンク集を表示する画面に移行するボタンである。  
アンケートボタン７７は、アンケートの入力画面へ移行するボタンである。
【００５２】
会員規約を読むボタン７８は、会員規約を表示する画面に移行するボタンである。  
会員登録ボタン７９は、会員規約を表示せずに会員登録を行う画面に移行するボタンである。
【００５３】
このトップ画面７０で、利用者によって会員規約を読むボタン７８が選択されると（ステップｎ４：Ｙｅｓ）、企業サーバ１０は、会員登録画面データを利用者側携帯電話機６０のブラウザに合わせたデータ形式で送信する（ステップｎ５）。
【００５４】
利用者側携帯電話機６０は、図９の画面イメージ図に示すように、受信した会員規約画面データによる会員規約表示画面８０をモニタ６１（図１）に表示する（ステップｎ６）。
【００５５】
この会員規約表示画面８０には、会員規約と共に、会員登録ボタン８１及び戻るボタン８２を表示する。  
会員登録ボタン８１は、会員登録を行う画面に移行するボタンであり、戻るボタン８２は、手前の画面であるトップページに戻るボタンである。
【００５６】
図９の会員登録ボタン８１が選択されるか（ステップｎ４：Ｎｏ）、図８の会員登録ボタン７９が選択され、利用者側携帯電話機６０により会員登録依頼がなされると（ステップｎ７）、企業サーバ１０は、会員登録画面データを利用者側携帯電話機６０のブラウザに合わせたデータ形式で送信する（ステップｎ８）。
【００５７】
利用者側携帯電話機６０は、図１０の画面イメージ図に示すように、前記会員登録画面データによる会員登録画面９０をモニタ６１（図１）に表示する（ステップｎ９）。
【００５８】
会員登録画面９０は、メールアドレス入力テキストボックス９１、氏名入力テキストボックス９２、性別入力テキストボックス９３、生年月日入力テキストボックス９４、自宅郵便番号入力テキストボックス９５、自宅都道府県入力テキストボックス９６、自宅市区町村入力テキストボックス９７、自宅番地入力テキストボックス９８、確認ボタン９９、戻るボタン１００、及びトップページへボタン１０１を備えている。
【００５９】
メールアドレス入力テキストボックス９１は、会員登録する利用者のメールアドレスを入力させるテキストボックスである。  
氏名入力テキストボックス９２は、利用者の氏名を入力させるテキストボックスである。
【００６０】
性別入力テキストボックス９３は、利用者の性別を入力させるテキストボックスである。  
生年月日入力テキストボックス９４は、利用者の生年月日を入力させるテキストボックスである。
【００６１】
自宅郵便番号入力テキストボックス９５は、利用者の自宅の郵便番号を入力させるテキストボックスである。  
自宅都道府県入力テキストボックス９６は、利用者の自宅住所の都道府県を入力させるテキストボックスである。  
自宅市区町村入力テキストボックス９７は、利用者の自宅住所の市区町村を入力させるテキストボックスである。  
自宅番地入力テキストボックス９８は、利用者の自宅住所の番地を入力させるテキストボックスである。
【００６２】
確認ボタン９９は、確認画面へ移行するボタンである。  
戻るボタン１００は、全ページに戻るボタンである。  
トップページへボタン１０１は、トップ画面へ移行するボタンである。
【００６３】
この会員登録画面９０で各項目が入力され、確認ボタン９９が押下されると、利用者側携帯電話機６０は入力された入力情報を企業サーバ１０へ送信する（ステップｎ１０）。
【００６４】
企業サーバ１０は、入力情報を受信した後に確認画面データを利用者側携帯電話機６０のブラウザに合わせたデータ形式で送信する（ステップｎ１１）。  
利用者側携帯電話機６０は、受信した確認画面データに基づいて、図１１の画面イメージ図に示すように、会員登録する情報を確認させる会員登録情報確認画面１１０をモニタ６１（図１）に表示する（ステップｎ１２）。
【００６５】
この会員登録情報確認画面１１０では、前記会員登録画面９０（図１０）で入力された各情報を表示すると共に、登録ボタン１１１、修正ボタン１１２、及びトップページへボタン１１３を表示する。
【００６６】
登録ボタン１１１は、表示している内容での登録依頼行うボタンである。  
修正ボタン１１２は、表示している内容を修正可能にするべく、利用者の入力内容を保持した上で前記会員登録画面９０を表示する画面に移行するボタンである。  
トップページへボタン１１３は、トップ画面へ移行するボタンである。
【００６７】
登録ボタン１１１が選択されると、利用者側携帯電話機６０は登録依頼することを示す登録依頼情報を送信し、企業サーバ１０は、上記ステップｎ１０にて送信された会員登録情報（又は登録依頼情報として送信された利用者の会員登録情報）を利用者管理データベース１１に登録する（ステップｎ１３）。
【００６８】
このとき、利用者側携帯電話機６０には、図１２の画面イメージ図に示すように、登録が完了したことを示す登録完了画面を表示すると良い。
【００６９】
企業サーバ１０は、メーラー（メール送信プログラム）を起動し（ステップｎ１４）、企業サーバ１０から取得した利用者のメールアドレスへ会員登録確認用のメールを送信する（ステップｎ１５）。
【００７０】
利用者側携帯電話機６０は、このメールを受信し、利用者の操作によって受信メールをモニタ６１（図１）に表示してメールを確認させる（ステップｎ１６）。
【００７１】
以上の動作により、利用者が利用者側携帯電話機６０を操作して、企業サーバ１０への会員登録、及びメールマガジンの配信希望を登録することができる。これにより、企業サーバ１０ではメールマガジンの配信を希望している利用者を管理することができ、希望している利用者にだけメールマガジン等のメールを送信できる環境が整う。
【００７２】
なお、図８に示したトップ画面で表示している他の項目について説明すると、例えばメニューボタン７１が選択された場合は、図１３のメニュー画面１２０の画面イメージ図に示すように、そのメニューボタン７１の部分を広くしてメニュー内の内容１２１を大きく表示し、他のメニューボタン１２２〜１２５等は上方又は下方に寄せて表示する。
【００７３】
トップ画面（図８）でリンク集ボタン７６が選択された場合には、図１４のリンク集画面１３０の画面イメージ図に示すように、複数のリンクページボタン１３１〜１３５、及びトップページへボタン１３６を備えた画面を表示する。
【００７４】
リンクページボタン１３１〜１３５は、他のＷＥＢサーバ等で提供されるホームページ等にリンクするボタンである。  
トップページへボタン１３６は、トップページへ戻るボタンである。
【００７５】
トップ画面（図８）でアンケートボタン７７が選択された場合には、図１５の画面イメージ図に示すアンケート画面を表示する。  
このアンケート画面では、複数のアンケート項目を、それぞれアンケート表示部１４１，１４８に表示し、各アンケート表示部１４１，１４８の下に回答を選択させるアンサーボタン１４２〜１４６，１４９〜１５３を表示してる。
【００７６】
また、自由な回答を求めるアンケートには、アンケート表示部１５４の下にアンケート入力テキストボックス１５５を表示している。  
クリアボタン１５６は、回答内容を消去するボタンであり、トップページへボタン１５８は、トップ画面へ移行するボタンである。
【００７７】
確認ボタン１５７は、図１６の画面イメージ図に示すように、入力した回答を確認するアンケート確認画面１６０に移行するボタンである。  
このアンケート確認画面１６０では、アンケートと選択又は入力された回答を表示すると共に、内容を修正する修正画面に移行する修正ボタン１６１と、表示している内容を企業サーバ１０へ送信する送信ボタン１６２とを表示している。  
トップページへボタン１６３は、トップ画面へ移行するボタンである。
【００７８】
次に、図１７、図１８に示すフローチャートと共に、エンドユーザである利用者が配信サーバ３０にアクセスして配信業者へ会員登録する会員登録処理について説明する。
【００７９】
利用者の操作によって利用者側携帯電話機６０が配信サーバ３０の提供するホームページのＵＲＬへアクセスすると（ステップｓ１）、配信サーバ３０はトップ画面データを利用者側携帯電話機６０のブラウザにあわせた形式のデータ（ＨＴＭＬやＨＤＭＬ等）で送信する（ステップｓ２）。
【００８０】
利用者側携帯電話機６０は、図１９の画面イメージ図に示すように、受信したトップ画面データによるトップ画面をモニタ６１（図１）に表示する（ステップｓ３）。
【００８１】
このとき表示するトップ画面１７０には、サイト名、ロゴ画像、文章を表示すると共に、複数のメニューボタン１７１、会員ログインボタン１７２、会員情報変更ボタン１７３、会員規約を読むボタン１７４、会員登録ボタン１７５、お問合せボタン１７６、企業選択プルダウンボタン１７７、企業入力ボタン１７８、及び企業検索ボタン１７９を表示する。
【００８２】
メニューボタン１７１は、着メロ、クーポン、掲示板、ニュース／天気／情報、コミュニケーション、待ち受け画面、サイトについて、といった各メニューを表示する画面に移行するボタンである。
【００８３】
会員ログインボタン１７２は、既に会員登録している利用者がＩＤとパスワードを入力してログインする画面に移行するボタンである。  
会員情報変更ボタン１７３は、既に会員登録している利用者が会員登録している会員情報を変更する画面に移行するボタンである。
【００８４】
会員規約を読むボタン１７４は、会員規約を表示する画面に移行するボタンである。  
会員登録ボタン１７５は、会員規約を表示せずに会員登録を行う画面に移行するボタンである。
【００８５】
お問合せボタン１７６は、文字入力部を有する画面に移行し、メールにて問合せを受け付けるためのボタンである。  
企業選択プルダウンボタン１７７は、メールマガジンの配信を行っている企業や、広告を出している企業を選択できるボタンである。  
企業入力ボタン１７８は、メールマガジンの配信を行っている企業や、広告を出している企業を入力する画面に移行するボタンである。  
企業検索ボタン１７９は、メールマガジンの配信を行っている企業や、広告を出している企業を検索する画面に移行するボタンである。
【００８６】
このトップ画面１７０で、利用者によって会員規約を読むボタン１７４が選択されると（ステップｓ４：Ｙｅｓ）、配信サーバ３０は、会員登録画面データを利用者側携帯電話機６０のブラウザに合わせたデータ形式で送信する（ステップｓ５）。
【００８７】
利用者側携帯電話機６０は、図２０の画面イメージ図に示すように、受信した会員規約画面データによる会員規約表示画面１８０をモニタ６１（図１）に表示する（ステップｓ６）。
【００８８】
この会員規約表示画面１８０には、会員規約と共に、会員登録ボタン１８１及び戻るボタン１８２を表示する。  
会員登録ボタン１８１は、会員登録を行う画面に移行するボタンであり、戻るボタン１８２は、手前の画面であるトップページに戻るボタンである。
【００８９】
図２０の会員登録ボタン１８１が選択されるか（ステップｓ４：Ｎｏ）、図１９の会員登録ボタン１７５が選択され、利用者側携帯電話機６０により会員登録依頼がなされると（ステップｓ７）、配信サーバ３０は、会員登録画面データを利用者側携帯電話機６０のブラウザに合わせたデータ形式で送信する（ステップｓ８）。
【００９０】
利用者側携帯電話機６０は、図２１の画面イメージ図に示すように、前記会員登録画面データによる会員登録画面１９０をモニタ６１（図１）に表示する（ステップｓ９）。
【００９１】
会員登録画面１９０は、ＩＤ表示部１９１、メールアドレス入力テキストボックス１９２、パスワード入力テキストボックス１９３、氏名入力テキストボックス１９４、性別入力テキストボックス１９５、生年月日入力テキストボックス１９６、自宅郵便番号入力テキストボックス１９７、自宅都道府県入力テキストボックス１９８、自宅市区町村入力テキストボックス１９９、自宅番地入力テキストボックス２００、プレゼント応募ラジオボタン２０１、確認ボタン２０２、戻るボタン２０３、及びトップページへボタン２０４を備えている。
【００９２】
ＩＤ表示部１９１は、会員登録の際に自動的に付与するユニークなナンバを表示する。  
メールアドレス入力テキストボックス１９２は、会員登録する利用者のメールアドレスを入力させるテキストボックスである。
【００９３】
パスワード入力テキストボックス１９３は、会員ログインや会員情報の変更等の際に必要となるパスワードを入力させるテキストボックスである。  
氏名入力テキストボックス１９４は、利用者の氏名を入力させるテキストボックスである。
【００９４】
性別入力テキストボックス１９５は、利用者の性別を入力させるテキストボックスである。  
生年月日入力テキストボックス１９６は、利用者の生年月日を入力させるテキストボックスである。
【００９５】
自宅郵便番号入力テキストボックス１９７は、利用者の自宅の郵便番号を入力させるテキストボックスである。  
自宅都道府県入力テキストボックス１９８は、利用者の自宅住所の都道府県を入力させるテキストボックスである。  
自宅市区町村入力テキストボックス１９９は、利用者の自宅住所の市区町村を入力させるテキストボックスである。  
自宅番地入力テキストボックス２００は、利用者の自宅住所の番地を入力させるテキストボックスである。
【００９６】
プレゼント応募ラジオボタン２０１は、プレゼント応募を行うか否かを選択させるラジオボタンである。  
確認ボタン２０２は、確認画面へ移行するボタンである。  
戻るボタン２０３は、全ページに戻るボタンである。  
トップページへボタン２０４は、トップ画面へ移行するボタンである。
【００９７】
この会員登録画面１９０で各項目が入力され、確認ボタン２０２が押下されると、利用者側携帯電話機６０は入力された入力情報を配信サーバ３０へ送信する（ステップｓ１０）。
【００９８】
配信サーバ３０は、入力情報を受信した後に確認画面データを利用者側携帯電話機６０のブラウザに合わせたデータ形式で送信する（ステップｓ１１）。  
利用者側携帯電話機６０は、受信した確認画面データに基づいて、図２２の画面イメージ図に示すように、会員登録する情報を確認させる会員登録情報確認画面２１０をモニタ６１（図１）に表示する（ステップｓ１２）。
【００９９】
この会員登録情報確認画面２１０では、前記会員登録画面１９０（図２１）で入力された各情報を表示すると共に、登録ボタン２１１、修正ボタン２１２、及びトップページへボタン２１３を表示する。
【０１００】
登録ボタン２１１は、表示している内容での登録依頼行うボタンである。  
修正ボタン２１２は、表示している内容を修正可能にするべく、利用者の入力内容を保持した上で前記会員登録画面１９０を表示する画面に移行するボタンである。  
トップページへボタン２１３は、トップ画面へ移行するボタンである。
【０１０１】
登録ボタン２１１が選択されると、利用者側携帯電話機６０は登録依頼することを示す登録依頼情報を送信し、配信サーバ３０は、上記ステップｓ１０にて送信された会員登録情報（又は登録依頼情報として送信された利用者の会員登録情報）を利用者管理データベース３２に登録する（ステップｓ１３）。
【０１０２】
このとき、利用者側携帯電話機６０には、図２３の画面イメージ図に示すように、登録が完了したことを示す登録完了画面を表示すると良い。
【０１０３】
配信サーバ３０は、メーラー（メール送信プログラム）を起動し（ステップｓ１４）、配信サーバ３０から取得した利用者のメールアドレスへ会員登録確認用のメールを送信する（ステップｓ１５）。
【０１０４】
利用者側携帯電話機６０は、このメールを受信し、利用者の操作によって受信メールをモニタ６１（図１）に表示してメールを確認させる（ステップｓ１６）。
【０１０５】
以上の動作により、利用者が利用者側携帯電話機６０を操作して、配信サーバ３０への会員登録を行うことができる。
【０１０６】
次に、配信サーバ３０で提供するホームページのトップ画面（図１９）から、企業サーバ１０へ会員登録する処理について説明する。  
この場合は、図１９にて説明した企業選択プルダウンボタン１７７、企業入力ボタン１７８、又は企業検索ボタン１７９により企業が選択されると、その企業の企業サーバ１０で提供される企業のホームページへ移行し、図６及び図７で説明したステップｎ１〜ｎ１６の処理を実行する。
【０１０７】
企業サーバ１０でホームページを提供していない場合には、企業が配信業者等に委託して開設しているその企業用のホームページに移行し、図６及び図７で説明したステップｎ１〜ｎ１６の処理を実行する。この場合は、ステップｎ１３でデータベースに登録する際に、企業サーバ１０のデータベース１１に登録する構成とする。
【０１０８】
またこの場合、ステップｎ１で配信サーバ１０からのアクセスであるフラグを立てておき、ステップｎ９で会員登録画面９０（図１０）を表示する際には、フラグが立っていれば配信サーバ１０にアクセスして会員登録情報を取得し、この会員登録情報を入力した状態で会員登録画面９０を表示することが好ましい。
【０１０９】
以上の動作により、利用者は配信サーバ１０で提供されるホームページから、メールマガジンの配信を行う企業に会員登録することができ、利用者はメールマガジンの配信を申し込むことができる。
【０１１０】
次に、図２４に示すフローチャートと共に、配信希望している利用者にメールマガジン等のメールを配信するメール配信処理について説明する。
【０１１１】
企業サーバ１０は、メールマガジンの配信を依頼する配信依頼データを配信サーバ３０へ送信する（ステップｐ１）。このときの配信依頼データには、企業名や配信日時等、配信サーバ３０が配信処理を実行するために必要なデータを含める。
【０１１２】
通常は、その企業の会員でかつ配信希望を登録している全利用者にメール配信を行うが、例えば性別や年齢層など、特定の利用者にだけメールマガジンの配信を行うように依頼する場合は、配信対象の利用者を特定する特定情報も配信依頼データに含める。
【０１１３】
配信サーバ３０は、配信依頼データを受信し（ステップｐ２）、配信依頼データの内容を確認する（ステップｐ３）。  
配信サーバ３０は、メール配信を行う時期として指定された時刻より所定時刻前に、メール配信を行う利用者情報を送信する依頼を、メール配信を依頼した企業の企業サーバ１０に送信する（ステップｐ４）。
【０１１４】
このとき送信するデータは、メール配信依頼で指定された条件によるＳＱＬ文であり、条件に一致する利用者のメールアドレスを返させる構文である。  
企業サーバ１０は、データベースサーバとして機能し、上記ＳＱＬ文に応答して利用者のメールアドレスを返す（ステップｐ５）。
【０１１５】
配信サーバ３０は、利用者情報として配信先となるメールアドレスを取得し（ステップｐ６）、配信側通信機４０を駆動制御して、取得したメールアドレスへメールマガジンを配信させる（ステップｐ７）。  
このときのメールマガジンは、配信側通信機４０によってパケット通信網５２を介して利用者側携帯電話機６０に送信される。
【０１１６】
またこのとき、配信先である複数のメールアドレスを複数の配信側通信機４０に適宜振り分け、各配信側通信機４０が割り振られたメールアドレスへメールマガジンを１件ずつ順次送信する。  
またこのとき、配信サーバ３０は、メール送信の記録を残すためにメール送信履歴３５にメール配信した内容を格納する。
【０１１７】
利用者側携帯電話機６０は、自己のメールアドレスに配信されたメールマガジンを受信し（ステップｐ８）、処理を終了する。
【０１１８】
以上の動作により、配信を希望する利用者にのみ確実にメールマガジンを配信することができる。  
メールマガジンは、パケット通信網５２を介して配信側通信機４０から送信されるため、コンピュータからのメールを受信拒否している利用者側携帯電話機６０であっても、確実にメールマガジンを受信できる。
【０１１９】
このように、全体の流れとして、利用者がメール配信希望を企業サーバ１０に登録し（図１の（１））、企業が配信サーバ３０にメール配信を依頼し（図１の（２））、管理事業者の配信サーバ３０が企業サーバ１０からメールアドレスを取得し（図１の（３））、利用者側携帯電話機６０にメールを配信する（図１の（４））ことができる。
【０１２０】
従って、利用者にとっては、図６〜図７で説明した配信希望登録処理を行うだけでよく、その後に自己の利用者側携帯電話機６０の設定を操作して、特定の送信者からのメールの受信を許可するといった煩わしい操作が不要であるため、大変便利に利用できる。
【０１２１】
配信サーバ３０を管理する管理事業者は、使用する配信側通信機４０について、多量のメールを配信しても良いとキャリアから許可を受けると良く、これにより多量のメール配信を正規に行うことができる。
【０１２２】
企業サーバ１０を利用する企業は、多量のメール配信についてキャリアからの個別の許諾を受ける必要がなく、配信サーバ３０を利用して多量の正規のメールを容易に一括配信することができる。
【０１２３】
利用者は、自己が配信を希望するとして登録した企業からのメールのみを受信し、他の未承諾広告といったメールの受信を拒否することができるため、快適に利用者側携帯電話機６０を利用することができ満足度が向上する。
【０１２４】
携帯電話機を提供するキャリアにとっては、通常の携帯電話機からのメール配信を一定時間内は一定数までと制限する等により、未承諾の広告メールを多量に配信されることを防止でき、その上で配信サーバ３０で使用する配信側通信機４０だけに多量配信を許可して、正規のメール配信サービスを受け入れることができる。
【０１２５】
なお、配信サーバ３０には利用者側携帯電話機６０を接続して、配信サーバ３０の制御によって利用者側携帯電話機６０からメール配信を行う構成に替えて、図２５のシステム構成図に示すように、利用者側携帯電話機６０単体でメール配信を行う構成としても良い。
【０１２６】
この場合は、利用者側携帯電話機６０にメール配信用のアプリケーション（例えばＶアプリ等のプログラム）を搭載し、このアプリケーションが、図２４のステップｐ２〜ｐ４、ｐ６〜ｐ７を実行する構成とすれば良い。
【０１２７】
またこの場合は、図１にて説明した、利用者がメール配信希望を企業サーバ１０に登録し（図１の（１））、企業が配信サーバ３０にメール配信を依頼する（図１の（２））流れを、図２５の（１’）及び（２’）に示すように、インターネット５１及びパケット通信網５２を介して行う流れとすれば良い。  
これにより、配信サーバ３０と利用者側携帯電話機６０の連携を行う場合よりもシステムを安定可動させることができる。
【０１２８】
この発明の構成と、上述の実施形態との対応において、
この発明の依頼者コンピュータは、実施形態の企業サーバ１０に対応し、
以下同様に、
通信手段は、企業サーバ１０の通信装置に対応し、
データベースは、利用者管理データベース１１に対応し、
配信装置は、配信サーバ３０又は配信側通信機４０に対応し、
配信側通信手段は、配信側通信機４０又は配信側通信機４０の通信装置に対応し、
電気通信回線は、インターネット５１に対応し、
通信網は、パケット通信網５２に対応し、
携帯電話機は、利用者側携帯電話機６０に対応し、
利用者用受付手段は、ステップｎ２，ｎ５，ｎ８を実行する制御装置に対応し、
配信先アドレス取得手段は、ステップｎ１３〜ｎ１５、ｐ４〜ｐ６を実行する制御装置に対応し、
メール配信依頼受付手段は、ステップｐ２〜ｐ３を実行する制御装置に対応し、
配信側制御手段は、ステップｐ７を実行する制御装置に対応し、
メールは、メールマガジンに対応するも、
この発明は、上述の実施形態の構成のみに限定されるものではなく、多くの実施の形態を得ることができる。
【図面の簡単な説明】
【０１２９】
【図１】携帯電話用メール配信システムのシステム構成図。
【図２】管理者情報のデータ構成図。
【図３】格納テーブル情報のデータ構成図。
【図４】メール送信履歴のデータ構成図。
【図５】セッション情報のデータ構成図。
【図６】配信希望登録処理のフローチャート。
【図７】配信希望登録処理のフローチャート。
【図８】企業のホームページのトップ画面の画面イメージ図。
【図９】企業の会員規約表示画面の画面イメージ図。
【図１０】企業の会員登録画面の画面イメージ図。
【図１１】企業の会員登録情報確認画面の画面イメージ図。
【図１２】企業の登録完了画面の画面イメージ図。
【図１３】企業のメニュー画面の画面イメージ図。
【図１４】企業のリンク集画面の画面イメージ図。
【図１５】企業のアンケート画面の画面イメージ図。
【図１６】企業のアンケート確認画面の画面イメージ図。
【図１７】配信サーバへの会員登録処理のフローチャート。
【図１８】配信サーバへの会員登録処理のフローチャート。
【図１９】配信業者のホームページのトップ画面の画面イメージ図。
【図２０】配信業者の会員規約表示画面の画面イメージ図。
【図２１】配信業者の会員登録画面の画面イメージ図。
【図２２】配信業者の会員登録情報確認画面の画面イメージ図。
【図２３】配信業者の登録完了画面の画面イメージ図。
【図２４】メール配信処理のフローチャート。
【図２５】他の実施形態の携帯電話用メール配信システムのシステム構成図。
【符号の説明】
【０１３０】
１…携帯電話用メール配信システム
１０…企業サーバ
１１…利用者管理データベース
３０…配信サーバ
４０…配信側通信機
５１…インターネット
５２…パケット通信網
６０…利用者側携帯電話機
【図１】
2006155475.tif 000003
【図２】
2006155475.tif 000004
【図３】
2006155475.tif 000005
【図４】
2006155475.tif 000006
【図５】
2006155475.tif 000007
【図６】
2006155475.tif 000008
【図７】
2006155475.tif 000009
【図８】
2006155475.tif 000010
【図９】
2006155475.tif 000011
【図１０】
2006155475.tif 000012
【図１１】
2006155475.tif 000013
【図１２】
2006155475.tif 000014
【図１３】
2006155475.tif 000015
【図１４】
2006155475.tif 000016
【図１５】
2006155475.tif 000017
【図１６】
2006155475.tif 000018
【図１７】
2006155475.tif 000019
【図１８】
2006155475.tif 000020
【図１９】
2006155475.tif 000021
【図２０】
2006155475.tif 000022
【図２１】
2006155475.tif 000023
【図２２】
2006155475.tif 000024
【図２３】
2006155475.tif 000025
【図２４】
2006155475.tif 000026
【図２５】
2006155475.tif 000027